(57)【要約】      （修正有）【課題】配備する場所に安定的に据え付けることができ、かつ配備する場所を変更する際に容易に移動させることができるテレビ台を提供する。【解決手段】床面に倣った平板状に形成されたベース２０、ベースに対して垂直に立設される垂直部及び垂直部の上部に設けられてテレビが取り付けられてテレビを支持するテレビ取付部を備えるテレビ台において、ベース２０は、ベースが床面に載置された状態でベースの外縁から突出してベースと床面との間に架設されてベースを床面に据え付ける結合部材を第１方向に着脱自在に取り付け可能な第１取付部２１ａ及び第１方向と異なる第２方向に着脱自在に取り付け可能な第２取付部２１ｂを有する結合部材取付部２１を備える。【選択図】図３
0003215699.tif 000002
【実用新案登録請求の範囲】
【請求項１】
床面に倣った平板状に形成されたベース、該ベースに対して垂直に立設される垂直部及び該垂直部の上部に設けられてテレビが取り付けられて該テレビを支持するテレビ取付部を備えるテレビ台において、
前記ベースは、
該ベースが前記床面に載置された状態で前記ベースの外縁から突出して該ベースと前記床面との間に架設されて前記ベースを前記床面に据え付ける結合部材を第１方向に着脱自在に取り付け可能な第１取付部及び該第１方向と異なる第２方向に着脱自在に取り付け可能な第２取付部を有する結合部材取付部を備えることを特徴とするテレビ台。
【請求項２】
前記結合部材取付部は、
前記第１取付部に前記結合部材が取り付けられる際の前記第１方向と前記第２取付部に前記結合部材が取り付けられる際の前記第２方向とが互いに交差して形成されたことを特徴とする請求項１に記載のテレビ台。
【請求項３】
前記ベースは、
平面視で略矩形に形成されて略矩形の角にそれぞれ角部が設定され、
前記結合部材取付部が前記各角部にそれぞれ形成されたことを特徴とする請求項１または２に記載のテレビ台。
【考案の詳細な説明】
【技術分野】
【０００１】
本考案は、テレビ台、特に、床面に倣った平板状に形成されたベース、ベースに対して垂直に立設される垂直部及び垂直部の上部に設けられてテレビが取り付けられてテレビを支持するテレビ取付部を備えるテレビ台に関する。
【背景技術】
【０００２】
薄型で大型のテレビを配置する際に用いられるテレビ台としては、床面に載置されるベースに立設された支柱の上部でテレビを支持することが可能なテレビ台が知られている（例えば、特許文献１を参照）。
【０００３】
このようなテレビ台は、ベースに立設された支柱の上部でテレビを支持することから、床面から離間した比較的高い位置でテレビが支持される。したがって、例えば、多数の者が出席する会議、あるいはショールームや展示場において、プレゼンテーション資料や映像等を表示する際に使用されるテレビを支持する場合に用いられることが想定される。
【先行技術文献】
【特許文献】
【０００４】
【特許文献１】実用新案登録第３２０２１４０号公報
【考案の概要】
【考案が解決しようとする課題】
【０００５】
ところで、特許文献１のようなテレビ台を室内に配備するに際しては、例えば、地震等の災害時における安全性を確保する観点から、テレビ台をその配備した場所に固定して安定的に据え付けたいという要望がある。
【０００６】
その一方で、テレビ台を配備した場所を頻繁に変更するような場合には、重量物であるテレビが支持されたテレビ台を、新たな配備先に容易に移動させたいという要望がある。
【０００７】
このような、テレビ台を安定的に据え付けたい、あるいはテレビ台を容易に移動させたいという要望は、ショールームや展示場といった、不特定多数の来訪者が想定されるような室内の空間にテレビ台を配備する際に、顕著となることが想定される。
【０００８】
本考案は、上記事情に鑑みてなされたものであり、配備する場所に安定的に据え付けることができ、かつ配備する場所を変更する際に容易に移動させることができるテレビ台を提供することを課題とするものである。
【課題を解決するための手段】
【０００９】
上記課題を解決するためのテレビ台は、床面に倣った平板状に形成されたベース、ベースに対して垂直に立設される垂直部及び垂直部の上部に設けられてテレビが取り付けられてテレビを支持するテレビ取付部を備えるテレビ台において、ベースは、ベースが床面に載置された状態でベースの外縁から突出してベースと床面との間に架設されてベースを床面に据え付ける結合部材を第１方向に着脱自在に取り付け可能な第１取付部及び第１方向と異なる第２方向に着脱自在に取り付け可能な第２取付部を有する結合部材取付部を備えることを特徴としている。
【００１０】
このテレビ台によれば、ベースを床面に据え付ける結合部材を、ベースに設けられた結合部材取付部に取り付けることによって、結合部材がベースと床面との間に架設されることから、テレビ台をその配備した場所に安定的に据え付けることができる。
【００１１】
しかも、結合部材取付部は、結合部材を第１方向に取り付け可能な第１取付部及び結合部材を第１方向と異なる第２方向に取り付け可能な第２取付部を有することから、テレビ台を配備して安定的に据え付けようとする場所の状況に応じて、第１取付部あるいは第２取付部への結合部材の取り付けを選択して行うことができる。
【００１２】
さらに、結合部材取付部は、結合部材が着脱自在に形成されていることから、テレビ台を、その配備された場所から新たな配備先に移動させる際には、容易に移動させることができる。
【００１３】
特に、このテレビ台のベースに設けられた結合部材取付部は、第１取付部に結合部材が取り付けられる際の第１方向と第２取付部に結合部材が取り付けられる際の第２方向とが互いに交差して形成されたことを特徴としている。
【００１４】
このように、結合部材取付部の第１取付部に結合部材が取り付けられる際の第１方向と、第２取付部に結合部材が取り付けられる際の第２方向とが互いに交差して形成されていることから、結合部材の取付範囲が第１取付部と第２取付部との間で比較的大きく設定される。したがって、テレビ台の据付に関する利便性が向上する。
【００１５】
しかも、テレビ台のベースは、平面視で略矩形に形成されて略矩形の角にそれぞれ角部が設定され、結合部材取付部が各角部にそれぞれ形成されたことを特徴としている。すなわち、結合部材取付部は、平面視で略矩形に形成されたベースの各角部に形成されることから、テレビ台を配備先に据え付ける際の安定性が向上する。
【考案の効果】
【００１６】
この考案によると、テレビ台をその配備先に安定的に据え付けることができ、かつ配備先を変更する際に容易に移動させることができる。
【図面の簡単な説明】
【００１７】
【図１】本考案の実施の形態に係るテレビ台の概略を説明する斜視図である。
【図２】同じく、本実施の形態に係るテレビ台に取り付けられる結合部材の概略を説明する斜視図である。
【図３】同じく、本実施の形態に係るテレビ台のベースの裏面の平面図である。
【図４】同じく、本実施の形態に係るテレビ台のベースの裏面の斜視図である。
【図５】同じく、本実施の形態に係るテレビ台のベースに結合部材が取り付けられた状態の概略を説明する図である。
【図６】同じく、本実施の形態に係るテレビ台のベースに結合部材が取り付けられた状態の概略を説明する図である。
【図７】同じく、本実施の形態に係るテレビ台のベースに結合部材が取り付けられた状態の概略を説明する図である。
【図８】同じく、本実施の形態に係るテレビ台のベースに結合部材が取り付けられた状態の概略を説明する図である。
【図９】同じく、本実施の形態に係るテレビ台のベースにキャスタが取り付けられた状態の概略を説明する図である。
【図１０】同じく、本実施の形態に係るテレビ台のベースにキャスタが取り付けられた状態の概略を説明する図である。
【考案を実施するための形態】
【００１８】
次に、図１〜図１０を参照して、本考案の実施の形態について説明する。
【００１９】
図１は、本実施の形態に係るテレビ台の概略を説明する斜視図である。図示のように、テレビ台１０は、床面に倣った平板状のベース２０、ベース２０に対して垂直に立設される垂直部３０、垂直部３０に取り付けられて垂直部３０をテレビ台１０の正面側から部分的に被覆するカバー４０、及び垂直部３０の上部に設けられたテレビ取付部５０を主要構成として備える。
【００２０】
この垂直部３０及びカバー４０によって、本実施の形態では支柱６０が構成される。
【００２１】
テレビ台１０のテレビ取付部５０には、テレビ１００が取り付けられる。これにより、テレビ１００がテレビ取付部５０を介してテレビ台１０に支持される。
【００２２】
このようなテレビ台１０は、本実施の形態では、ベース２０の裏面に取り付けられてベース２０と床面との間に架設される結合部材１１によって、ベース２０が床面に据え付けられる。
【００２３】
図２は、結合部材１１の概略を説明する斜視図である。図示のように、結合部材１１は、ベース２０に取り付けられる取付部１２、取付部１２の一端から起立するように折曲された連結部１３、及び連結部１３から取付部１２に対して離反するように折曲されて床面に据え付けられる据付部１４を備えた側面視でクランク状に形成される。
【００２４】
取付部１２には、図示しないネジが挿通される取付孔１２ａが４孔、形成されており、据付部１４には、図示しないボルトが挿通される据付孔１４ａが１孔、形成されている。
【００２５】
図３は、本実施の形態に係るテレビ台１０のベース２０の裏面の平面図であり、図４は、同じくベース２０の裏面の斜視図である。
【００２６】
図示のように、ベース２０は、平面視で略矩形の外枠２０ａ、外枠２０ａに取り付けられた基台２０ｂ、矢線ＦＢで示すテレビ台１０の前後方向において外枠２０ａの内側に架設されて基台２０ｂを補剛する複数の第１梁２０ｃ、及びこの第１梁２０ｃと交差する方向で第１梁２０ｃと外枠２０ａとの間に架設されて基台２０ｂを補剛する第２梁２０ｄを備える。
【００２７】
このベース２０の外枠２０ａ及び第２梁２０ｄの任意の箇所に、本実施の形態では、樹脂製の緩衝部材２０ｅが複数設けられ、ベース２０が床面に載置された際に、床面から入力されるテレビ台１０の自重に対する反力が緩衝される。
【００２８】
一方、緩衝部材２０ｅが複数設けられることから、ベース２０が床面に載置されると、緩衝部材２０ｅの厚み（例えば３ｍｍ）に応じて、ベース２０の裏面の下端縁が床面から離間して、ベース２０の裏面の下端縁と床面との間に間隙が形成される。
【００２９】
このような構成のベース２０は、平面視で略矩形に形成され、４箇所の角に角部２０Ａが設定され、各角部２０Ａにおける外枠２０ａの内側であってベース２０の裏面に、結合部材１１が取り付けられる結合部材取付部２１が形成される。
【００３０】
この結合部材取付部２１は、本実施の形態では、板金で形成された平板状であって、ベース２０の各角部２０Ａにおける外枠２０ａの内側及び基台２０ｂに溶接された基板２１Ａを備える。
【００３１】
この基板２１Ａは、本実施の形態では、結合部材１１がテレビ台１０の前後方向ＦＢに取り付けられる第１取付部２１ａ、及び結合部材１１が前後方向ＦＢと交差する矢線ＬＲで示すテレビ台１０の幅方向に取り付けられる第２取付部２１ｂを有する平面視で略Ｌ字状に形成される。
【００３２】
本実施の形態では、前後方向ＦＢが第１方向として設定され、幅方向ＬＲが第２方向として設定される。
【００３３】
第１取付部２１ａ及び第２取付部２１ｂには、本実施の形態では、結合部材１１の取付部１２の取付孔１２ａに挿通された図示しないネジが挿通される、取付孔１２ａと同軸となる挿通孔２１ｃが形成され、第１取付部２１ａの挿通孔２１ｃと第２取付部２１ｂの挿通孔２１ｃとの間に、後述するキャスタが取り付けられるキャスタ取付孔２１ｄが形成される。
【００３４】
なお、本実施の形態では、ベース２０の略中央部分からテレビ台１０の後方向Ｂに若干偏位した箇所にも、キャスタ取付孔２２が形成される。
【００３５】
これら基板２１Ａ、基板２１Ａの第１取付部２１ａに形成された挿通孔２１ｃ、基板２１Ａの第２取付部２１ｂに形成された挿通孔２１ｃ、及びこれら各挿通孔２１ｃの間に形成されたキャスタ取付孔２１ｄによって、本実施の形態では結合部材取付部２１が構成される。
【００３６】
このようなテレビ台１０を、床面に安定的に据え付ける場合は、まず、結合部材１１をテレビ台１０のベース２０に取り付ける。
【００３７】
図５及び図６は、本実施の形態に係るテレビ台１０のベース２０に、結合部材１１が取り付けられた状態の概略を説明する図である。図示のように、結合部材１１がベース２０の結合部材取付部２１の第１取付部２１ａに取り付けられると、ベース２０の外縁を構成する外枠２０ａにおけるベース２０の裏面の下端縁と床面との間隙から据付部１４が第１方向に突出して、ベース２０と床面との間に結合部材１１が架設される。
【００３８】
このように、ベース２０の外枠２０ａから第１方向に突出した結合部材１１の据付部１４に形成された据付孔１４ａに、図示しないボルトを挿通してボルトを締結させると、ベース２０が床面に据え付けられて、テレビ台１０が、所望の配備する場所において安定的に据え付けられる。
【００３９】
図７及び図８は、本実施の形態に係るテレビ台１０のベース２０に、結合部材１１が取り付けられた状態の概略を説明する図である。図示のように、結合部材１１がベース２０の結合部材取付部２１の第２取付部２１ｂに取り付けられると、ベース２０の外縁を構成する外枠２０ａにおけるベース２０の裏面の下端縁と床面との間隙から据付部１４が第２方向に突出して、ベース２０と床面との間に結合部材１１が架設される。
【００４０】
このように、ベース２０の外枠２０ａから第２方向に突出した結合部材１１の据付部１４に形成された据付孔１４ａに、図示しないボルトを挿通してボルトを締結させると、ベース２０が床面に据え付けられて、テレビ台１０が、所望の配備先において安定的に据え付けられる。
【００４１】
図９及び図１０は、本実施の形態に係るテレビ台１０のベース２０に、キャスタ１５が取り付けられた状態の概略を説明する図である。図示のように、キャスタ１５は、本実施の形態では、ベース２０の結合部材取付部２１のキャスタ取付孔２１ｄとキャスタ取付孔２２とに取り付けられることから、テレビ台１０の移設がスムーズに実現される。
【００４２】
このように、本実施の形態のテレビ台１０によれば、ベース２０を床面に据え付ける結合部材１１を、ベース２０に設けられた結合部材取付部２１に取り付けることによって、結合部材１１がベース２０と床面との間に架設されることから、テレビ台１０をその配備先に安定的に据え付けることができる。
【００４３】
しかも、結合部材取付部２１は、結合部材１１を第１方向に取り付け可能な第１取付部２１ａ及び結合部材１１を第１方向と異なる第２方向に取り付け可能な第２取付部２１ｂを有することから、テレビ台１０を配備して安定的に据え付けようとする場所の状況に応じて、第１取付部２１ａあるいは第２取付部２１ｂへの結合部材１１の取り付けを選択して行うことができる。
【００４４】
さらに、結合部材取付部２１は、結合部材１１が着脱自在に形成されていることから、テレビ台１０を、現在の配備先から新たな配備先に移動させる際には、容易に移動させることができる。
【００４５】
本実施の形態では、結合部材取付部２１の第１取付部２１ａに結合部材１１が取り付けられる際の第１方向と、第２取付部２１ｂに結合部材１１が取り付けられる際の第２方向とが互いに交差して形成されていることから、結合部材１１の取付範囲が第１取付部２１ａと第２取付部２１ｂとの間で比較的大きく設定される。したがって、テレビ台１０の据付に関する利便性が向上する。
【００４６】
この結合部材取付部２１は、本実施の形態では、平面視で略矩形に形成されたベース２０の４か所の各角部２０Ａにおける外枠２０ａの内側に形成されることから、テレビ台１０を配備先に据え付ける際の安定性が向上する。
【００４７】
さらに、本実施の形態では、結合部材取付部２１がベース２０の裏面に設けられていることから、結合部材１１がベース２０の裏面に取り付けられる。したがって、ベース２０の表面の意匠性を損なうことがない。
【００４８】
なお、本考案は上記実施の形態に限定されることはなく、考案の趣旨を逸脱しない範囲で種々変更可能である。上記実施の形態では、結合部材取付部２１の第１取付部２１ａまたは第２取付部２１ｂのいずれかに結合部材１１が取り付けられる場合を説明したが、第１取付部２１ａ及び第２取付部２１ｂのそれぞれに結合部材１１が取り付けられてもよい。
【符号の説明】
【００４９】
１０    テレビ台
１１    結合部材
２０    ベース
２０Ａ    角部
２０ａ    外枠
２１    結合部材取付部
２１ａ    第１取付部
２１ｂ    第２取付部
２１ｃ    挿通孔
３０    垂直部
４０    カバー
５０    テレビ取付部
６０    支柱
【図１】
0003215699.tif 000003
【図２】
0003215699.tif 000004
【図３】
0003215699.tif 000005
【図４】
0003215699.tif 000006
【図５】
0003215699.tif 000007
【図６】
0003215699.tif 000008
【図７】
0003215699.tif 000009
【図８】
0003215699.tif 000010
【図９】
0003215699.tif 000011
【図１０】
0003215699.tif 000012